【手続補正書】
【提出日】平成17年9月7日(2005.9.7)
【手続補正１】
【補正対象書類名】明細書
【補正対象項目名】発明の名称
【補正方法】変更
【補正の内容】
【発明の名称】カメラシステム及びカメラ並びにアクセサリの制御プログラム書き換え方法
【手続補正２】
【補正対象書類名】明細書
【補正対象項目名】特許請求の範囲
【補正方法】変更
【補正の内容】
【特許請求の範囲】
【請求項１】  アクセサリが着脱可能なカメラであって、
当該カメラは、上記アクセサリと通信を行うための通信ラインを含むアクセサリ接続部と、外部機器と通信を行うための外部機器接続部とを有し、
当該カメラに装着された上記アクセサリの内部に記憶された制御プログラムを書き換えるために、この制御プログラムの修正プログラムを上記外部機器接続部から入力し、この入力された修正プログラムを上記アクセサリ接続部を介して上記アクセサリに出力することを特徴とするカメラ。
【請求項２】  アクセサリが着脱可能なカメラであって、
当該カメラは、上記アクセサリと通信を行うための通信ラインを含むアクセサリ接続部と、外部機器との間で、映像データを通信することが可能な外部機器接続部とを有し、
当該カメラに装着された上記アクセサリの内部に記憶された制御プログラムを書き換えるために、この制御プログラムの修正プログラムと、この修正プログラムのバージョンナンバとを上記外部機器接続部から入力し、この入力された修正プログラム及びバージョンナンバを上記アクセサリ接続部を介して上記アクセサリに出力することを特徴とするカメラ。
【請求項３】  カメラと、このカメラに着脱可能なアクセサリとを含むカメラシステムであって、
上記アクセサリは、このアクセサリの制御を行うための制御手段と、上記制御手段の制御プログラムを記憶するための電気的に書き込み可能なメモリと、上記メモリ内の制御プログラムを書き込むための書き込み手段と、上記カメラとデータ通信を行うための通信手段と、を有し、
上記カメラは、上記アクセサリと通信を行うための通信ラインを含むアクセサリ接続部と、外部機器と通信を行うための外部機器接続部とを有し、
上記カメラは、上記制御プログラムを書き換えるための修正プログラムを上記外部機器接続部から入力し、この入力された修正プログラムを上記アクセサリ接続部を介して上記アクセサリに出力し、
上記アクセサリは、上記書き込み手段を用いて上記修正プログラムを上記メモリに書き込むことを特徴とするカメラシステム。
【請求項４】  カメラと、このカメラに着脱可能なアクセサリとを含むカメラシステムであって、
上記アクセサリは、このアクセサリの制御を行うための制御手段と、上記制御手段の制御プログラムとこの制御プログラムのバージョンナンバを記憶するための電気的に書き込み可能なメモリと、上記メモリ内の制御プログラム及び上記バージョンナンバを書き込むための書き込み手段と、上記カメラとデータ通信を行うための通信手段と、を有し、
上記カメラは、上記アクセサリと通信を行うための通信ラインを含むアクセサリ接続部と、外部機器と通信を行うための外部機器接続部とを有し、
上記カメラは、上記制御プログラムを書き換えるための修正プログラム及びこの修正プログラムのバージョンナンバを上記外部機器接続部から入力し、この入力された修正プログラム及びバージョンナンバを上記アクセサリ接続部を介して上記アクセサリに出力し、
上記アクセサリは、上記書き込み手段を用いて上記修正プログラム及び上記バージョンナンバを上記メモリに書き込むことを特徴とするカメラシステム。
【請求項５】 カメラに装着されたアクセサリの制御プログラム書き換え方法であって、
上記アクセサリに記憶された制御プログラムのバージョンナンバを上記カメラを介して上記アクセサリから読出すステップと、
上記読出されたバージョンナンバが所望の条件を満たした場合に、上記カメラに対して修正プログラム及びこの修正プログラムのバージョンナンバを送り出すステップと、
上記カメラに接続された上記アクセサリの制御プログラム及びバージョンナンバを書き換えるステップと、
を具備することを特徴とするアクセサリの制御プログラム書き換え方法。
【請求項６】  カメラに装着されたアクセサリの制御プログラムの書き換え方法であって、
上記アクセサリの種類を表す情報と、上記アクセサリに記憶された制御プログラムのバージョンナンバを上記カメラを介して上記アクセサリから読出すステップと、
上記読出されたアクセサリの種類を表す情報が、所望の条件を満たし、且つ上記読出されたバージョンナンバが所望の条件を満たした場合に、上記カメラに対して修正プログラム及びこの修正プログラムのバージョンナンバを送り出すステップと、
上記カメラに接続された上記アクセサリの制御プログラム及びバージョンナンバを書き換えるステップと、
を具備することを特徴とするアクセサリの制御プログラム書き換え方法。
【手続補正３】
【補正対象書類名】明細書
【補正対象項目名】０００１
【補正方法】変更
【補正の内容】
【０００１】
【発明の属する技術分野】
この発明は、銀塩フィルムを使用したカメラボディや、ＣＣＤ等の撮像素子を使用した電子カメラ等と、交換レンズやフラッシュ等のアクセサリから成るカメラシステム及びカメラ並びにアクセサリの制御プログラム書き換え方法に関する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
【発明が解決しようとする課題】
上記特開昭６−３３２６９１号公報に記載されている、フラッシュＲＯＭの技術をカメラのアクセサリに適用した場合、アクセサリの脱着部の電気的コネクタを使用して外部機器と通信を行い、プログラムデータの書換えを行う必要がある。
【手続補正６】
【補正対象書類名】明細書
【補正対象項目名】００１１
【補正方法】変更
【補正の内容】
【００１１】
この発明は上記実状に鑑みてなされたものであり、アクセサリに合わせた特殊な形状をしたコネクタを用意する必要が無く、アクセサリ内のマイクロコンピュータのプログラムを、容易に修正できることを可能にしたカメラシステム及びカメラ並びにアクセサリの制御プログラム書き換え方法を提供することを目的とする。
【手続補正７】
【補正対象書類名】明細書
【補正対象項目名】００１２
【補正方法】変更
【補正の内容】
【００１２】
【課題を解決するための手段】
すなわちこの発明は、アクセサリが着脱可能なカメラであって、当該カメラは、上記アクセサリと通信を行うための通信ラインを含むアクセサリ接続部と、外部機器と通信を行うための外部機器接続部とを有し、当該カメラに装着された上記アクセサリの内部に記憶された制御プログラムを書き換えるために、この制御プログラムの修正プログラムを上記外部機器接続部から入力し、この入力された修正プログラムを上記アクセサリ接続部を介して上記アクセサリに出力することを特徴とする。 
この発明は、アクセサリが着脱可能なカメラであって、当該カメラは、上記アクセサリと通信を行うための通信ラインを含むアクセサリ接続部と、外部機器との間で、映像データを通信することが可能な外部機器接続部とを有し、当該カメラに装着された上記アクセサリの内部に記憶された制御プログラムを書き換えるために、この制御プログラムの修正プログラムと、この修正プログラムのバージョンナンバとを上記外部機器接続部から入力し、この入力された修正プログラム及びバージョンナンバを上記アクセサリ接続部を介して上記アクセサリに出力することを特徴とする。
【手続補正８】
【補正対象書類名】明細書
【補正対象項目名】００１３
【補正方法】変更
【補正の内容】
【００１３】
またこの発明は、カメラと、このカメラに着脱可能なアクセサリとを含むカメラシステムであって、上記アクセサリは、このアクセサリの制御を行うための制御手段と、上記制御手段の制御プログラムを記憶するための電気的に書き込み可能なメモリと、上記メモリ内の制御プログラムを書き込むための書き込み手段と、上記カメラとデータ通信を行うための通信手段と、を有し、上記カメラは、上記アクセサリと通信を行うための通信ラインを含むアクセサリ接続部と、外部機器と通信を行うための外部機器接続部とを有し、上記カメラは、上記制御プログラムを書き換えるための修正プログラムを上記外部機器接続部から入力し、この入力された修正プログラムを上記アクセサリ接続部を介して上記アクセサリに出力し、上記アクセサリは、上記書き込み手段を用いて上記修正プログラムを上記メモリに書き込むことを特徴とする。 
この発明は、カメラと、このカメラに着脱可能なアクセサリとを含むカメラシステムであって、上記アクセサリは、このアクセサリの制御を行うための制御手段と、上記制御手段の制御プログラムとこの制御プログラムのバージョンナンバを記憶するための電気的に書き込み可能なメモリと、上記メモリ内の制御プログラム及び上記バージョンナンバを書き込むための書き込み手段と、上記カメラとデータ通信を行うための通信手段と、を有し、上記カメラは、上記アクセサリと通信を行うための通信ラインを含むアクセサリ接続部と、外部機器と通信を行うための外部機器接続部とを有し、上記カメラは、上記制御プログラムを書き換えるための修正プログラム及びこの修正プログラムのバージョンナンバを上記外部機器接続部から入力し、この入力された修正プログラム及びバージョンナンバを上記アクセサリ接続部を介して上記アクセサリに出力し、上記アクセサリは、上記書き込み手段を用いて上記修正プログラム及び上記バージョンナンバを上記メモリに書き込むことを特徴とする。
【手続補正９】
【補正対象書類名】明細書
【補正対象項目名】００１４
【補正方法】変更
【補正の内容】
【００１４】
更にこの発明は、カメラに装着されたアクセサリの制御プログラム書き換え方法であって、上記アクセサリに記憶された制御プログラムのバージョンナンバを上記カメラを介して上記アクセサリから読出すステップと、上記読出されたバージョンナンバが所望の条件を満たした場合に、上記カメラに対して修正プログラム及びこの修正プログラムのバージョンナンバを送り出すステップと、上記カメラに接続された上記アクセサリの制御プログラム及びバージョンナンバを書き換えるステップと、を具備することを特徴とする。 
この発明は、カメラに装着されたアクセサリの制御プログラムの書き換え方法であって、上記アクセサリの種類を表す情報と、上記アクセサリに記憶された制御プログラムのバージョンナンバを上記カメラを介して上記アクセサリから読出すステップと、上記読出されたアクセサリの種類を表す情報が、所望の条件を満たし、且つ上記読出されたバージョンナンバが所望の条件を満たした場合に、上記カメラに対して修正プログラム及びこの修正プログラムのバージョンナンバを送り出すステップと、上記カメラに接続された上記アクセサリの制御プログラム及びバージョンナンバを書き換えるステップと、を具備することを特徴とする。
【手続補正１０】
【補正対象書類名】明細書
【補正対象項目名】００１５
【補正方法】変更
【補正の内容】
【００１５】
この発明は、アクセサリが着脱可能なカメラに於いて、当該カメラは、上記アクセサリと通信を行うための通信ラインを含むアクセサリ接続部と、外部機器と通信を行うための外部機器接続部とを有している。そして、当該カメラに装着された上記アクセサリの内部に記憶された制御プログラムを書き換えるために、この制御プログラムの修正プログラムが上記外部機器接続部から入力される。この入力された修正プログラムは、上記アクセサリ接続部を介して上記アクセサリに出力される。
【手続補正１１】
【補正対象書類名】明細書
【補正対象項目名】００１６
【補正方法】変更
【補正の内容】
【００１６】
またこの発明は、アクセサリが着脱可能なカメラに於いて、当該カメラは、上記アクセサリと通信を行うための通信ラインを含むアクセサリ接続部と、外部機器との間で、映像データを通信することが可能な外部機器接続部とを有している。そして、当該カメラに装着された上記アクセサリの内部に記憶された制御プログラムを書き換えるために、この制御プログラムの修正プログラムと、この修正プログラムのバージョンナンバとが上記外部機器接続部から入力される。この入力された修正プログラム及びバージョンナンバは、上記アクセサリ接続部を介して上記アクセサリに出力される。
【手続補正１２】
【補正対象書類名】明細書
【補正対象項目名】００１７
【補正方法】変更
【補正の内容】
【００１７】
更に、この発明は、カメラと、このカメラに着脱可能なアクセサリとを含むカメラシステムに於いて、上記アクセサリでは、制御手段によってアクセサリの制御が行われ、電気的に書き込み可能なメモリに上記制御手段の制御プログラムが記憶される。上記メモリ内の制御プログラムは書き込み手段によって書き込まれて、通信手段によって上記カメラとデータ通信が行われる。一方、上記カメラでは、通信ラインを含むアクセサリ接続部により上記アクセサリと通信が行われ、外部機器接続部によって外部機器と通信が行われる。そして、上記カメラでは、上記制御プログラムを書き換えるための修正プログラムが上記外部機器接続部から入力され、この入力された修正プログラムが上記アクセサリ接続部を介して上記アクセサリに出力される。上記アクセサリでは、上記書き込み手段が用いられて上記修正プログラムが上記メモリに書き込まれる。
【手続補正１３】
【補正対象書類名】明細書
【補正対象項目名】００１８
【補正方法】変更
【補正の内容】
【００１８】
この発明は、カメラと、このカメラに着脱可能なアクセサリとを含むカメラシステムに於いて、上記アクセサリでは、制御手段によってこのアクセサリの制御が行われ、上記制御手段の制御プログラムとこの制御プログラムのバージョンナンバが、電気的に書き込み可能なメモリに記憶される。また、上記メモリ内の制御プログラム及び上記バージョンナンバが書き込み手段によって書き込まれ、通信手段によって上記カメラとデータ通信が行われる。そして、上記カメラは、上記アクセサリと通信を行うための通信ラインを含むアクセサリ接続部と、外部機器と通信を行うための外部機器接続部とを有し、上記カメラにて、上記制御プログラムを書き換えるための修正プログラム及びこの修正プログラムのバージョンナンバが上記外部機器接続部から入力される。この入力された修正プログラム及びバージョンナンバは、上記アクセサリ接続部を介して上記アクセサリに出力され、上記アクセサリでは、上記書き込み手段が用いられて上記修正プログラム及び上記バージョンナンバが上記メモリに書き込まれる。
【手続補正１４】
【補正対象書類名】明細書
【補正対象項目名】００１９
【補正方法】変更
【補正の内容】
【００１９】
更にこの発明は、カメラに装着されたアクセサリの制御プログラム書き換え方法に於いて、上記アクセサリに記憶された制御プログラムのバージョンナンバが上記カメラを介して上記アクセサリから読出される。そして、上記読出されたバージョンナンバが所望の条件を満たした場合に、上記カメラに対して修正プログラム及びこの修正プログラムのバージョンナンバが送り出され、上記カメラに接続された上記アクセサリの制御プログラム及びバージョンナンバが書き換えられる。 
この発明は、カメラに装着されたアクセサリの制御プログラムの書き換え方法に於いて、上記アクセサリの種類を表す情報と、上記アクセサリに記憶された制御プログラムのバージョンナンバが上記カメラを介して上記アクセサリから読出される。そして、上記読出されたアクセサリの種類を表す情報が、所望の条件を満たし、且つ上記読出されたバージョンナンバが所望の条件を満たした場合に、上記カメラに対して修正プログラム及びこの修正プログラムのバージョンナンバが送り出される。更に、上記カメラに接続された上記アクセサリの制御プログラム及びバージョンナンバが書き換えられる。
【手続補正１５】
【補正対象書類名】明細書
【補正対象項目名】００３８
【補正方法】変更
【補正の内容】
【００３８】
一般的に、交換レンズ等のアクセサリに、周辺機器（パーソナルコンピュータ）と接続するためのコネクタを設けるのはスペース的にも困難である。しかしながら、この発明のように、カメラボディにコネクタを設けるのは容易である。尚、このようなコネクタは、デジタルカメラ以外のカメラにも付いているものがある。  
また、この発明に於いて、アクセサリ内部の制御用マイクロコンピュータの、プログラムメモリの全部若しくは一部に、フラッシュＲＯＭ等の電気的書込み可能な不揮発性メモリを使用する。一方、カメラボディ側には、アクセサリ内のプログラムデータを書換えるための入力部を有しており、この入力部を介してアクセサリ内のプログラムデータの書換えを行うようにした。したがって、カメラボディにのみ外部機器との通信用のコネクタ手段を持てば良く、アクセサリ毎に特殊な接続用コネクタを多数作成する必要がない。 
また、デジタルカメラ等にこの発明の技術を適用した場合、通常、デジタルカメラは、映像データ等を外部パーソナルコンピュータと通信するためのコネクタを持っていることが多いので、このコネクタを利用して、アクセサリ内のプログラムデータの書換えを行うことができるようになっている。
【手続補正１６】
【補正対象書類名】明細書
【補正対象項目名】００４７
【補正方法】変更
【補正の内容】
【００４７】
（６）  カメラボディとこのカメラボディに着脱可能なカメラアクセサリとを含むカメラシステムに於いて、
上記カメラアクセサリは、所定のプログラムを記憶するための不揮発性メモリを具備し、
上記カメラボディは、上記不揮発性メモリに記憶されたプログラムを電気的に書換えるための修正プログラムを外部のパーソナルコンピュータから入力する外部データ入力手段を具備し、
上記不揮発性メモリのプログラムを書換えるときには、外部のパーソナルコンピュータからの修正プログラムを外部データ入力手段を介して上記不揮発性メモリに送信することを特徴とするカメラシステム。  
（７） カメラボディとこのカメラボディに着脱可能なカメラアクセサリとを含むカメラシステムに於いて、
上記カメラアクセサリは、所定のプログラムを記憶するための不揮発性メモリと、この不揮発性メモリに記憶されたプログラムを実行する実行手段と、を具備し、
上記カメラボディは、上記不揮発性メモリに記憶されたプログラムを電気的に書換えるための修正プログラムを外部から入力する外部データ入力手段を具備し、
上記不揮発性メモリのプログラムを書換えるときには、外部からの修正プログラムを外部データ入力手段を介して上記不揮発性メモリに送信することを特徴とするカメラシステム。 
（８） カメラボディとこのカメラボディに着脱可能なカメラアクセサリとを含むカメラシステムに於いて、
上記カメラアクセサリは、所定のプログラムを記憶すると共にこのプログラムのバージョン情報を記憶するための不揮発性メモリと、この不揮発性メモリに記憶されたプログラムを実行する実行手段と、を具備し、
上記カメラボディは、上記不揮発性メモリに記憶されたプログラムを電気的に書換えるための修正プログラムを外部から入力する外部データ入力手段を具備し、
上記不揮発性メモリのプログラムを書換えるときには、外部からの修正プログラムと修正プログラムのバージョン情報とを外部データ入力手段を介して上記不揮発性メモリに送信することを特徴とするカメラシステム。  
（９） カメラアクセサリが着脱可能なカメラに於いて、
上記カメラアクセサリ内の不揮発性メモリに記憶されたプログラムを電気的に書換えるための修正プログラムを外部から入力する外部データ入力手段を具備し、
上記不揮発性メモリのプログラムを書換えるときには、外部からの修正プログラムを外部データ入力手段を介して上記不揮発性メモリに送信することを特徴とするカメラ。 
（１０） カメラボディとこのカメラボディに着脱可能なカメラアクセサリとを含むカメラシステムであって、上記カメラアクセサリにて、所定のプログラムが不揮発性メモリに記憶され、この不揮発性メモリに記憶されたプログラムが実行手段で実行される。一方、上記カメラボディでは、上記不揮発性メモリに記憶されたプログラムを電気的に書換えるための修正プログラムが、外部データ入力手段によって外部から入力される。そして、上記不揮発性メモリのプログラムを書換えるときには、外部からの修正プログラムが、外部データ入力手段を介して上記不揮発性メモリに送信される。 
（１１） カメラボディとこのカメラボディに着脱可能なカメラアクセサリとを含むカメラシステムにあって、上記カメラアクセサリに於いて、不揮発性メモリに所定のプログラムが記憶されると共に、このプログラムのバージョン情報が記憶される。また、この不揮発性メモリに記憶されたプログラムが実行手段によって実行される。一方、上記カメラボディに於いては、上記不揮発性メモリに記憶されたプログラムを電気的に書換えるための修正プログラムが、外部データ入力手段によって外部から入力される。そして、上記不揮発性メモリのプログラムを書換えるときには、外部からの修正プログラムと修正プログラムのバーション情報とが、外部データ入力手段を介して上記不揮発性メモリに送信される。 
（１２） カメラアクセサリが着脱可能なカメラに於いて、上記カメラアクセサリ内の不揮発性メモリに記憶されたプログラムを電気的に書換えるための修正プログラムが、外部データ入力手段により外部から入力される。そして、上記不揮発性メモリのプログラムを書換えるときには、外部からの修正プログラムが、外部データ入力手段を介して上記不揮発性メモリに送信される。
【手続補正１７】
【補正対象書類名】明細書
【補正対象項目名】００４８
【補正方法】変更
【補正の内容】
【００４８】
【発明の効果】
以上のようにこの発明によれば、カメラボディを介してアクセサリの制御プログラムを書き換えるようにしたので、アクセサリに合わせた特殊な形状をしたコネクタを用意する必要が無く、アクセサリ内のマイクロコンピュータのプログラムを、容易に修正できることを可能にしたカメラシステム及びカメラ並びにアクセサリの制御プログラム書き換え方法を提供することができる。